(57)【要約】【課題】情報端末を無線接続された他の情報端末へ登録すること。【解決手段】登録処理実行部３０４ａは、使用者からの指示に基づいて、無線通信可能な範囲に存在する通信対象を探索し、探索結果をモニタ３０５へ表示する。そして、使用者からの指示に基づいて、表示した通信対象の中から、登録を要求する車載情報端末３００を特定し、特定した車載情報端末３００との間の通信リンクを確立ためのパスキーを選択する。そして、特定した車載情報端末３００へパスキーを送信して、携帯端末２００の登録を要求する。【選択図】図１
2008092435.tif 000002
【特許請求の範囲】
【請求項１】
無線通信可能な範囲に存在する通信対象を検出する検出手段と、
前記検出手段で検出した前記通信対象を表示する表示手段と、
表示した前記通信対象の中から登録を要求する相手としての登録先端末を特定する特定手段と、
特定した前記登録先端末との間で通信リンクを確立し、前記登録先端末に当該情報端末を通信可能な端末として登録するように要求する登録要求手段とを備えることを特徴とする情報端末。
【請求項２】
請求項１に記載の情報端末において、
前記表示手段は、前記検出手段で探索した前記通信対象の中から、前記登録先端末と同じ機器のみを抽出して表示することを特徴とする情報端末。
【請求項３】
請求項２に記載の情報端末において、
前記表示手段は、前記登録先端末から受信するパケット内に含まれる機器情報に基づいて、前記登録先端末と同じ機器のみを抽出することを特徴とする情報端末。
【請求項４】
請求項１〜３のいずれか一項に記載の情報端末において、
前記情報端末は、使用者が所持する携帯端末であって、前記登録先端末は、車両に搭載された車載情報端末であることを特徴とする情報端末。
【請求項５】
請求項４に記載の情報端末において、
前記表示手段は、前記車載情報端末の機器名、または前記車載情報端末を搭載した車両の車種名を表示することを特徴とする情報端末。
【請求項６】
請求項４または５に記載の情報端末において、
前記登録先端末との間で通信リンクを確立するための認証用情報と、前記機器メーカーまたは前記自動車メーカーとを対応付けて記憶する記憶手段と、
前記機器メーカーまたは前記自動車メーカーを表示し、使用者によって指定された前記機器メーカーまたは前記自動車メーカーに応じた前記認証用情報を選択する選択手段とをさらに備え、
前記登録要求手段は、前記選択手段で選択した前記認証用情報を用いて、前記登録先端末との間で通信リンクを確立することを特徴とする情報端末。
【請求項７】
請求項６に記載の情報端末において、
前記記憶手段は、前記情報端末に着脱可能な記憶媒体であることを特徴とする情報端末。
【請求項８】
請求項６または７に記載の情報端末において、
最新の認証用情報を提供する情報センターから前記最新の認証用情報を取得する取得手段と、
取得した前記最新の認証用情報を用いて、前記記憶手段に記憶された前記認証用情報を更新する更新手段をさらに備えることを特徴とする情報端末。
【請求項９】
請求項１〜３のいずれか一項に記載の情報端末において、
前記情報端末は、車両に搭載された車載情報端末であって、前記登録先端末は、使用者が所持する携帯端末であることを特徴とする情報端末。
【請求項１０】
請求項２に記載の情報端末において、
前記表示手段は、抽出した前記登録先端末と同じ機器が１台である場合には表示を行なわず、
前記特定手段は、前記抽出した機器を前記登録先端末として特定することを特徴とする情報端末。
【請求項１１】
請求項１〜１０のいずれか一項に記載の情報端末において、
前記登録要求手段は、前記登録先端末へ登録を要求した後、前記情報端末の機器情報および前記登録先端末の機器情報を表示することを特徴とする情報端末。
【請求項１２】
請求項４〜９のいずれか一項に記載の車載情報端末。
【請求項１３】
請求項４〜９のいずれか一項に記載の携帯端末。
【請求項１４】
請求項１２に記載の車載情報端末と、請求項１３に記載の携帯端末とを無線通信で接続可能な車載情報システム。
【請求項１５】
無線通信可能な範囲に存在する通信対象を検出し、
検出した前記通信対象を表示し、
表示した前記通信対象の中から登録を要求する相手としての登録先端末を特定し、
特定した前記登録先端末との間で通信リンクを確立し、前記登録先端末に当該情報端末を通信可能な端末として登録するように要求することを特徴とする端末登録方法。
【発明の詳細な説明】
【技術分野】
【０００１】
本発明は、情報端末、情報端末を車両に搭載した車載情報端末、使用者が所持する携帯端末、車載情報端末と携帯端末とで構成される車載情報システム、および端末登録方法に関する。
【背景技術】
【０００２】
次のようなＢｌｕｅｔｏｏｔｈ通信接続方法が知られている。この方法では、使用者は、まず車載機を操作してＢｌｕｅｔｏｏｔｈ設定用の画面を呼び出し、その後、携帯電話を操作して、Ｂｌｕｅｔｏｏｔｈ通信を行うために必要なパスキーを入力するものである。（例えば、非特許文献１）。
【０００３】
【非特許文献１】ＴＩＩＤＡ（Ｃ１１型）  新型車解説書  ＡＶ−５４頁（２００４年９月  日産自動車株式会社発行）
【発明の開示】
【発明が解決しようとする課題】
【０００４】
しかしながら、従来の方法では、車載機と携帯電話との間でＢｌｕｅｔｏｏｔｈ通信を行うためには、使用者は車載機と携帯電話の両方を操作しなければならず、操作が面倒であった。
【課題を解決するための手段】
【０００５】
本発明は、無線通信可能な範囲に存在する通信対象を検出し、検出した通信対象を表示し、表示した通信対象の中から登録を要求する相手としての登録先端末を特定し、特定した登録先端末との間で通信リンクを確立し、登録先端末に当該情報端末を通信可能な端末として登録するように要求することを特徴とする端末登録方法。
【発明の効果】
【０００６】
本発明によれば、情報端末から登録先端末に対して登録を要求することができるため、使用者は情報端末のみを操作すればよく、登録先端末を操作する必要はなくなる。
【発明を実施するための最良の形態】
【０００７】
図１は、本実施の形態における車両情報システムの一実施の形態の構成を示すブロック図である。車両情報システム１００は、車両に搭載された車載情報端末２００と使用者が所持する携帯端末３００とが無線接続、例えばＢｌｕｅｔｏｏｔｈ（登録商標）で接続されている。車載情報端末２００は、例えばカーナビゲーション装置やカーオーディオ装置などが用いられ、本実施の形態ではカーナビゲーション装置（カーナビ）を用いる場合について説明する。また、携帯端末３００は、例えば携帯電話が用いられる。車載情報端末２００および携帯端末３００には、それぞれデバイス名が付加されており、このデバイス名によって各端末を特定することができる。
【０００８】
なお、図１に示すブロック図では、一般的な構成要素は省略し、本発明に必須の構成要素を中心に示している。例えば車載情報端末１００がナビゲーション装置である場合、ナビゲーション装置が備える一般的な構成要素の表示は省略している。また、携帯端末３００が携帯電話である場合、携帯電話が備える一般的な構成要素の表示は省略している。
【０００９】
車載情報端末２００は、入力装置２０１と、メモリ２０２と、通信装置２０３と、制御装置２０４と、モニタ２０５とを備えている。入力装置２０１は、使用者が車載情報端末２００を操作するための種々のスイッチを含んでいる。メモリ２０２には、車載情報端末２００で利用する種々のデータ、例えば制御プログラムや車載情報端末２００と通信可能な携帯端末３００の登録データなどが記憶されている。通信装置２０３は、通信モジュールやアンテナなどを備えた携帯端末３００と無線通信を行うための無線通信ユニットである。本実施の形態では、通信装置２０３としてＢｌｕｅｔｏｏｔｈ通信モジュールを用いる。モニタ２０５は、例えば液晶モニタである。
【００１０】
制御装置２０４は、ＣＰＵ、メモリ、およびその他の周辺回路によって構成され、端末登録部２０４ａを機能的に備えている。端末登録部２０４ａは、後述する携帯端末３００からの端末登録要求に応じて、その要求元の携帯端末３００を車載情報端末２００と通信可能な端末として登録する。この登録データは、メモリ２０２に記憶される。
【００１１】
携帯端末３００は、入力装置３０１と、メモリ３０２と、通信装置３０３と、制御装置３０４と、モニタ３０５とを備えている。入力装置３０１は、使用者が携帯端末３００を操作するための種々のスイッチを含んでいる。メモリ３０２は、携帯端末３００で利用する種々のデータ、例えば制御プログラムなどが記憶されている。通信装置３０３は、通信モジュールやアンテナなどを備えた車載情報端末２００と無線通信を行うための無線通信ユニットである。本実施の形態では、通信装置３０３としてＢｌｕｅｔｏｏｔｈ通信モジュールを用いる。モニタ３０５は、例えば液晶モニタである。
【００１２】
制御装置３０４は、ＣＰＵ、メモリ、およびその他の周辺回路によって構成され、登録処理実行部３０４ａを機能的に備えている。登録処理実行部３０４ａは、使用者によって携帯端末３００を車載情報端末２００へ登録するように指示された場合に、車載情報端末２００への登録要求処理を実行する。具体的には、次のように処理を行なう。
【００１３】
モニタ３０５には、図２（ａ）に示すような携帯端末３００のメニュー画面が表示されている。メニュー画面上には、Ｂｌｕｅｔｏｏｔｈの設定を行うための項目としてＢｌｕｅｔｏｏｔｈ２ａが表示されている。使用者によって入力装置３０１が操作されてこのＢｌｕｅｔｏｏｔｈ２ａが選択されると、モニタ３０５には図２（ｂ）に示すＢｌｕｅｔｏｏｔｈメニュー画面が表示される。Ｂｌｕｅｔｏｏｔｈメニュー画面上には、携帯端末３００を車載情報端末２００へ登録するための項目としてカーナビ登録２ｂが表示されている。
【００１４】
使用者によって入力装置３０１が操作されてカーナビ登録２ｂが選択されると、登録処理実行部３０４ａは、図３に示すようなＢｌｕｅｔｏｏｔｈカーナビ登録画面をモニタ３０５へ表示する。このＢｌｕｅｔｏｏｔｈカーナビ登録画面では、使用者は、カーナビ、すなわち車載情報端末２００の製造メーカーを選択する。使用者によって製造メーカーが選択されると、登録処理実行部３０４ａは、選択された製造メーカーに対応したパスキーを決定する。
【００１５】
なお、パスキーとは、Ｂｌｕｅｔｏｏｔｈ機器同士が通信リンク（ＢＴリンク）を確立するために必要な認証用情報であり、通信リンク確率時にはお互いにＢｌｕｅｔｏｏｔｈ機器用のパスキーを交換して認証を行なう必要がある。このパスキーは、車載情報端末２００の製造メーカーごとに異なり、登録処理実行部３０４ａは、車載情報端末２００との間で通信リンクを確立する場合には、車載情報端末２００の製造メーカーに対応したパスキーを車載情報端末２００へ送信する必要がある。また、車載情報端末２００からは、車載情報端末２００の製造メーカーに対応したパスキーが携帯端末３００へ送信されてくるので、登録処理実行部３０４ａは、受信したパスキーを用いて通信リンク確立のための認証を行う。なお、パスキーは車両の製造メーカーに応じて設定されている場合もある。
【００１６】
登録処理実行部３０４ａは、メモリ３０２に記憶されている図４に示すパスキーデータベースを参照して、使用者によって選択された製造メーカーに対応したパスキーを決定する。すなわち、使用者によって製造メーカーとして「△△自動車」が選択された場合には、これに対応する「１１１１」をパスキーとして決定する。これによって、使用者は車載情報端末２００の製造メーカーを選択するだけで自動的に対応するパスキーが選択されるようになり、例えば図５に示すように画面上でパスキーを入力する手間を省くことができる。また、使用者はパスキーを覚えている必要がなく、使用者の利便性が向上する。
【００１７】
登録処理実行部３０４ａは、選択された製造メーカーに応じたパスキーを決定した後、通信装置３０３の通信範囲内に存在する他のＢｌｕｅｔｏｏｔｈ機器を探索（検出）する。このために、登録実行処理部３０４ａは、通信装置２０３を介して通信範囲内に他のＢｌｕｅｔｏｏｔｈ機器が存在するかを確認するためのコマンドを送信して、他のＢｌｕｅｔｏｏｔｈ機器からの応答を待つ。そして、他のＢｌｕｅｔｏｏｔｈ機器から応答を受信した場合に、そのＢｌｕｅｔｏｏｔｈ機器が車載情報端末２００であるか否かを判定する。
【００１８】
具体的には、次のように判定する。他のＢｌｕｅｔｏｏｔｈ機器から受信する応答パケット（ＦＨＳパケット）の中に含まれるデバイスクラス情報（機器情報）には、この応答パケットを送信したＢｌｕｅｔｏｏｔｈ機器の種類に関する情報が格納されている。従って、登録処理実行部３０４ａは、このデバイスクラス情報を読み込んで、通信範囲内に存在するＢｌｕｅｔｏｏｔｈ機器が車載情報端末２００であるか否かを判定する。
【００１９】
登録処理実行部３０４ａは、上記判定結果に基づいて、通信範囲内に存在するＢｌｕｅｔｏｏｔｈ機器の中から車載情報端末２００のみを抽出する。そして、抽出した通信範囲内に存在する車載情報端末２００をモニタ３０５に表示する。すなわち、登録処理実行部３０４ａは、登録先端末としての車載情報端末２００と同じ機器のみを抽出して表示する。
【００２０】
例えば、抽出した車載情報端末２００が複数ある場合には、図６に示すように、抽出した車載情報端末２００の一覧を表示した登録先選択画面をモニタ３０５に表示する。この一覧には、車載情報端末２００を搭載した車種名や、車載情報端末２００の機器名が表示される。使用者は、モニタ３０５に表示された車載情報端末２００の中から、携帯端末３００を登録したい車載情報端末２００を選択する。
【００２１】
このように、通信範囲内に存在するＢｌｕｅｔｏｏｔｈ機器の中から車載情報端末２００のみを抽出してモニタ３０５に表示することによって、携帯端末３００の登録先候補のみをモニタに表示することができる。すなわち、図７に示すように、通信範囲内に存在する△△携帯電話のような、携帯端末３００の登録先として相応しくないＢｌｕｅｔｏｏｔｈ機器はモニタ３０５に表示しないことで、使用者は、登録先のＢｌｕｅｔｏｏｔｈ機器を選択しやすくなる。
【００２２】
使用者によっていずれかの車載情報端末２００が選択された場合には、登録処理実行部３０４ａは、上述した処理であらかじめ決定したパスキーと自身のデバイス名を、使用者によって選択された車載情報端末２００（登録先端末）へ送信して、車載情報端末２００からの応答を待つ。なお、登録処理実行部３０４ａは、通信範囲内に存在する車載情報端末２００が１台しかない場合には、図６に示す登録先選択画面をモニタ３０５に表示せずに、その１台の車載情報端末２００へそのままパスキーと自身のデバイス名を送信する。
【００２３】
車載情報端末２００においては、端末登録部２０４ａは、携帯端末３００からパスキーを受信した場合に、携帯端末３００から登録要求があったものと判断し、受信したパスキーが自分自身のパスキーと一致するか否かを判定して、機器の認証を行なう。そして、認証が完了した場合には、自身のパスキーとデバイス名を携帯端末３００へ送信する。また、端末登録部２０４ａは、機器の認証が完了した場合には、図８に示すように、自分のデバイス名、および登録対象の携帯端末３００デバイス名を表示した確認画面をモニタ２０５に表示する。
【００２４】
携帯端末３００の登録処理実行部３０４ａは、載情報端末２００からパスキーとデバイス名を受信した場合には、受信したパスキーが上述した処理で決定したパスキーと一致するかを判定して、機器の認証を行なう。そして、認証が完了した場合には、図９に示すように、自分のデバイス名、および登録先の車載情報端末２００のデバイス名を表示した確認画面をモニタ３０５に表示する。
【００２５】
これによって、車載情報端末２００のモニタ２０５と、携帯端末３００のモニタ３０５の両方に、車載情報端末２００および携帯端末３００のデバイス名が表示された状態になる。使用者は、両方のモニタに表示された内容を確認し、両者が一致すれば、正しく登録が行なわれるものと判断する。使用者は、両者が一致していると判断した場合には、図９に示すモニタ３０５に表示された確認画面上でＯＫボタン９ａを選択する。使用者によって、ＯＫボタン９ａが選択されると、登録処理実行部３０４ａは、車載情報端末２００へＯＫボタン９ａが選択された旨の信号（ＯＫ信号）を送信する。
【００２６】
車載情報端末２００の端末登録部２０４ａは、携帯端末３００からＯＫ信号を受信した場合には、登録要求のあった携帯端末３００を、車載情報端末２００と通信可能な携帯端末としてメモリ２０３に記憶されている登録データへ登録する。
【００２７】
これに対して、使用者は、両者が一致していないと判断した場合には、図９に示すモニタ３０５に表示された確認画面上で再登録ボタン９ｂを選択する。使用者によって、再登録ボタン９ｂが選択されると、再度、図３に示すＢｌｕｅｔｏｏｔｈカーナビ登録画面をモニタ３０５へ表示して、使用者に対して、改めて登録のために必要な操作を促す。
【００２８】
図１０は、本実施の形態における車載情報端末２００の処理を示すフローチャートである。図１０に示す処理は、携帯端末３００から通信範囲内に他のＢｌｕｅｔｏｏｔｈ機器が存在するかを確認するためのコマンドを受信して、その応答を送信した後に起動するプログラムとして、制御装置２０４によって実行される。
【００２９】
ステップＳ１０において、端末登録部２０４ａは、問い合わせスキャン（Ｉｎｑｕｉｒｙ  Ｓｃａｎ）を行なって、携帯端末３００からの登録要求を待つ。その後、ステップＳ２０へ進み、端末登録部２０４ａは、あらかじめ設定した所定時間（タイマー時間）が経過したか否かを判断する。所定時間経過したと判断した場合には、携帯端末３００からの登録要求はないものと判定して、処理を終了する（登録失敗）。これに対して、所定時間経過していないと判断した場合には、ステップＳ３０へ進む。
【００３０】
ステップＳ３０では、端末登録部２０４ａは、携帯端末３００から登録要求があったか否かを判断する。登録要求がないと判断した場合には、ステップＳ１０へ戻って処理を繰り返す。一方、登録要求があったと判断した場合には、ステップＳ４０へ進む。ステップＳ４０では、端末登録部２０４ａは、上述したように、携帯端末３００から受信したパスキーを用いて機器の認証を行ない、さらに携帯端末３００に対して自身のパスキーとデバイス名を送信する。その後、ステップＳ５０へ進んで、端末登録部２０４ａは、携帯端末３００との間でＢＴリンクを確立して、ステップＳ６０へ進む。
【００３１】
ステップＳ６０では、端末登録部２０４ａは、図８に示すように、自分のデバイス名、および登録対象の携帯端末３００のデバイス名を表示した確認画面をモニタ２０５に表示する。その後、ステップＳ７０へ進み、端末登録部２０４ａは、使用者によってモニタ２０５とモニタ３０５のそれぞれに表示された車載情報端末２００および携帯端末３００のデバイス名が一致していると判定されたか否か、すなわち、携帯端末３００から上述したＯＫ信号を受信したか否かを判断する。
【００３２】
ＯＫ信号を受信したと判断した場合には、登録要求のあった携帯端末３００を、車載情報端末２００と通信可能な携帯端末としてメモリ２０３に記憶されている登録データへ登録して、処理を終了する（登録完了）。これに対して、ＯＫ信号を受信していないと判断した場合には、携帯端末３００の登録を行わないで処理を終了する（登録失敗）。
【００３３】
図１１は、本実施の形態における携帯端末３００の処理を示すフローチャートである。図１１に示す処理は、使用者によって車載情報端末２００への携帯端末３００の登録開始が指示され、図３に示すＢｌｕｅｔｏｏｔｈカーナビ登録画面で車載情報端末２００の製造メーカーが選択されて、製造メーカーに応じたパスキーが決定されると起動するプログラムとして、制御装置３０４によって実行される。
【００３４】
ステップＳ１１０において、登録処理実行部３０４ａは、問い合わせ（Ｉｎｑｕｉｒｙ）を行なって、通信装置３０３の通信範囲内に存在する他のＢｌｕｅｔｏｏｔｈ機器を探索する。その後、ステップＳ１２０へ進む。登録処理実行部３０４ａは、あらかじめ設定した所定時間（タイマー時間）が経過したか否かを判断する。所定時間経過したと判断した場合には、ステップＳ１３０へ進む。
【００３５】
ステップＳ１３０では、登録処理実行部３０４ａは、他のＢｌｕｅｔｏｏｔｈ機器から受信した応答パケット（ＦＨＳパケット）の中に含まれるデバイスクラス情報に基づいて、通信範囲内に存在するＢｌｕｅｔｏｏｔｈ機器の中から車載情報端末２００のみを抽出（フィルタリング）して、ステップＳ１４０へ進む。ステップＳ１４０では、登録処理実行部３０４ａは、通信範囲内に存在する車載情報端末２００の台数を判断する。車載情報端末２００が０台であると判断した場合には、携帯端末３００を登録する車載情報端末２００が通信範囲内に存在しないことから、そのまま処理を終了する（登録失敗）。
【００３６】
車載情報端末２００が１台であると判断した場合には、登録処理実行部３０４ａは、図６に示す登録先選択画面をモニタ３０５に表示せずに、後述するステップＳ１７０へ進む。車載情報端末２００が２台以上であると判断した場合には、ステップＳ１５０へ進んで、登録処理実行部３０４ａは、図６に示す登録先選択画面をモニタ３０５に表示する。その後、ステップＳ１６０へ進み、登録処理実行部３０４ａは、使用者によって選択された登録先端末を特定して、ステップＳ１７０へ進む。ステップＳ１７０では、登録処理実行部３０４ａは、登録先の車載情報端末２００へパスキーと自身のデバイス名を送信し、さらに載情報端末２００から受信したパスキーを使用して機器の認証を行なう。その後、ステップＳ１８０へ進む。
【００３７】
ステップＳ１８０では、登録処理実行部３０４ａは、Ｂｌｕｅｔｏｏｔｈの常時接続待ち機能をＯＮにしてステップＳ１９０へ進む。ステップＳ１９０では、登録処理実行部３０４ａは、登録先の車載情報端末２００との間でＢＴリンクを確立して、ステップＳ２００へ進む。ステップＳ２００では、登録処理実行部３０４ａは、図９に示すように、自分のデバイス名、および登録先の車載情報端末２００のデバイス名を表示した確認画面をモニタ３０５に表示する。その後、ステップＳ２１０へ進む。
【００３８】
ステップＳ２１０では、登録処理実行部３０４ａは、図９に示す確認画面上で使用者によってＯＫボタン９ａが選択されたか否かを判断する。使用者によってＯＫボタン９ａが選択されたと判断した場合には、登録処理実行部３０４ａは、車載情報端末２００へＯＫボタン９ａが選択された旨の信号（ＯＫ信号）を送信して処理を終了する（登録完了）。これに対して、使用者によってＯＫボタン９ａが選択されないと判断した場合、すなわち再登録ボタン９ｂが選択されたと判断した場合には、登録処理実行部３０４ａは、そのまま処理を終了して、使用者の指示に従って再登録処理を行う（登録失敗）。
【００３９】
以上説明した本実施の形態によれば、以下のような作用効果を得ることができる。
（１）使用者によって携帯端末３００を車載情報端末２００へ登録するように指示された場合には、携帯端末３００の通信可能範囲に存在するＢｌｕｅｔｏｏｔｈ機器を探索して、探索結果を表示した。そして、使用者によって選択されたＢｌｕｅｔｏｏｔｈ機器を登録先端末として特定し、登録先端末との間の通信リンクを確立ためのパスキーを選択して、登録先端末へパスキーを送信して登録を要求するようにした。これによって、従来のように、携帯端末３００と車載情報端末２００の両方で操作を行う必要がなくなり、使用者は携帯端末３００側で登録のための操作を簡易に行うことができる。
【００４０】
（２）携帯端末３００の通信可能範囲に存在するＢｌｕｅｔｏｏｔｈ機器のうち、登録先端末と同じ機器、すなわち車載情報端末２００のみを抽出して表示するようにした。これによって、携帯端末３００の登録先として相応しくないＢｌｕｅｔｏｏｔｈ機器はモニタ３０５に表示しないようにして、使用者が登録先のＢｌｕｅｔｏｏｔｈ機器を選択しやすくなる。
【００４１】
（３）登録先端末から受信するパケット内に含まれる機器情報（デバイスクラス情報）に基づいて、車載情報端末２００のみを抽出するようにした。これによって、特別に車載情報端末３００か否かを判定するための情報をやりとりする必要がなくなり、通信負荷を低減することができる。
【００４２】
（４）抽出した車載情報端末２００の一覧には、車載情報端末２００を搭載した車種名や、車載情報端末２００の機器名を表示するようにした。これによって、使用者は、普段見慣れている車種名や機器名を見て容易に登録先端末を選択することができる。
【００４３】
（５）あらかじめパスキーと、車載情報端末２００の製造メーカー（機器メーカー）または車載情報端末２００を搭載した車両の製造メーカー（自動車メーカー）とを対応付けたパスキーデータベースをメモリ３０２に記憶しておくようにした。そして、機器メーカーまたは自動車メーカーをモニタ表示し、使用者によって指定された機器メーカーまたは自動車メーカーに応じたパスキーを選択するようにした。これによって、使用者がパスキーを入力する手間を省くことができる。また、使用者はパスキーを覚えている必要がなく、使用者の利便性が向上する。
【００４４】
（６）通信範囲内に存在する車載情報端末２００が１台しかない場合には、図６に示す登録先選択画面をモニタ３０５に表示せずに、その１台の車載情報端末２００へそのままパスキーと自身のデバイス名を送信するようにした。これによって、登録先端末が１台である場合には、登録先選択画面の表示処理を無くして処理を高速化することができる。
【００４５】
（７）車載情報端末２００および携帯端末３００はそれぞれ、互いの機器認証が完了した後にモニタに自分自身の機器情報（デバイス名）および相手の機器情報（デバイス名）を表示するようにした。これによって、使用者は、車載情報端末２００および携帯端末３００のモニタの表示内容を比較することによって、登録される内容が正しいか否かを確認することができる。また、車載情報端末２００および携帯端末３００のモニタの表示内容が一致しない場合には、再登録できるようにしたので、登録される内容が誤っている場合には、すぐに再登録を行うことができる。
【００４６】
―変形例―
なお、上述した実施の形態の車両情報システムは、以下のように変形することもできる。
（１）上述した実施の形態では、パスキーデータベースはメモリ３０２に記憶されている例について説明した。しかしながら、携帯端末３００にメモリカードスロットを搭載し、メモリカードスロットに挿入されるメモリカードにパスキーデータベースを記憶しておいてもよい。すなわち、パスキーデータベースは着脱可能な記憶媒体に記憶しておいてもよい。また、通信装置３０３を介して最新のパスキーデータベースを有する情報センターと通信し、情報センターから最新のパスキーデータベースを取得して、携帯端末３００が有するデータを更新するようにしてもよい。
【００４７】
（２）上述した実施の形態では、携帯端末３００から車載情報端末２００に対して登録要求を行い、車載情報端末２００側に携帯端末３００を登録する例について説明した。しかしながら、車載情報端末２００から携帯端末３００に対して登録要求を行い、携帯端末３００側に車載情報端末２００を登録するようにしてもよい。この場合には、図１０に示す処理を携帯端末３００側で実行し、図１１に示す処理を車載情報端末２００側で実行すればよい。
【００４８】
（３）上述した実施の形態では、車載情報端末２００と携帯端末３００とを備える車両情報システム１００において、携帯端末３００を車載情報端末２００へ登録する例について説明した。しかしながら、Ｂｌｕｅｔｏｏｔｈで接続される２以上の機器を備え、いずれか一方に他方を登録するようなその他のシステムにも本発明を適用することができる。
【００４９】
なお、本発明の特徴的な機能を損なわない限り、本発明は、上述した実施の形態における構成に何ら限定されない。
【００５０】
特許請求の範囲の構成要素と実施の形態との対応関係について説明する。登録処理実行部３０４ａは、検出手段、特定手段、登録要求手段、選択手段、取得手段、および更新手段に相当する。モニタ３０５は表示手段に、メモリ３０２は記憶手段に相当する。なお、以上の説明はあくまでも一例であり、発明を解釈する際、上記の実施形態の記載事項と特許請求の範囲の記載事項の対応関係に何ら限定も拘束もされない。
【図面の簡単な説明】
【００５１】
【図１】車両情報システムの一実施の形態の構成を示すブロック図である。
【図２】携帯端末３００のメニュー画面およびＢｌｕｅｔｏｏｔｈメニュー画面の具体例を示す図である。
【図３】Ｂｌｕｅｔｏｏｔｈカーナビ登録画面の具体例を示す図である。
【図４】パスキーデータベースの具体例を示す図である。
【図５】従来のパスキー入力画面の具体例を示す図である。
【図６】本発明による登録先選択画面の具体例を示す図である。
【図７】従来の登録先選択画面の具体例を示す図である。
【図８】車載情報端末２００側で表示される確認画面の具体例を示す図である。
【図９】携帯端末３００側で表示される確認画面の具体例を示す図である。
【図１０】車載情報端末２００の処理を示すフローチャート図である。
【図１１】携帯端末３００の処理を示すフローチャート図である。
【符号の説明】
【００５２】
１００  車両情報システム
２００  車載情報端末
２０１、３０１  入力装置
２０２、３０２  メモリ
２０３、３０３  通信装置
２０４、３０４  制御装置
２０４ａ  端末登録部
３０４ａ  登録処理実行部
２０５、３０５  モニタ
３００  携帯端末
【図１】
2008092435.tif 000003
【図２】
2008092435.tif 000004
【図３】
2008092435.tif 000005
【図４】
2008092435.tif 000006
【図５】
2008092435.tif 000007
【図６】
2008092435.tif 000008
【図７】
2008092435.tif 000009
【図８】
2008092435.tif 000010
【図９】
2008092435.tif 000011
【図１０】
2008092435.tif 000012
【図１１】
2008092435.tif 000013